(57)【要約】【課題】  従来、記憶装置に記憶された画像を表示する場合は画像を表示装置をほぼいっぱいに使って大きく再生する通常再生がある。また複数の画像の縮小画像を表示装置内にならべて表示する一覧再生、縮小表示に画像情報を付随させて表示するなどがあり、用途によって使い分けている。【解決手段】画像送りボタンが長押しされると、１枚の画像を表示させる第１の表示モードから複数の画像を表示させる第２の表示モードに自動的に切り換えるため、表示モード切り替えの操作が必要なく表示切り替えを簡単に行うことが可能となる。さらに、第２の表示モードでは複数の画像ごとに表示されるので、所望の画像を検索しやすくなる。【選択図】  図１
2008052433.tif 000002
【特許請求の範囲】
【請求項１】
複数の画像が格納されている記憶媒体から画像を読み出す読み出し手段を有し、画像送り指示の入力に応じて、前記読み出し手段により読み出した画像を表示手段に順次表示させる画像再生装置であって、
前記画像送り指示を入力するための画像送りボタンと、
一枚ずつ前記表示手段に画像を表示させる第１の表示モード、または、複数枚数毎に前記表示手段に画像を表示させる第２の表示モードで画像を順次表示させていく表示制御手段と、
前記第１の表示モード中に前記画像送りボタンが長押しされたときは、前記第２の表示モードに切り替えるモード切り換え手段と、
前記モード切り換え手段により前記第２の表示モードに切り替わったときは、前記第１の表示モードに切替えるための操作ガイダンスを表示させるガイダンス表示手段を有することを特徴とする画像再生装置。
【請求項２】
前記第２の表示モードで表示された複数の画像の内の１つに枠を付けて表示させる枠表示手段を有し、
前記枠表示手段は、前記画像送りボタンが長押しされている間は、前記枠を表示させる画像を順次移動させ、前記枠を表示させることを特徴とする請求項１に記載の画像再生装置。
【請求項３】
前記画像送りボタンの長押しが解除されたことに応じて、前記枠が付されている画像を、前記第２の表示モードで表示されている他の画像より大きく前記表示手段に表示させることを特徴とする請求項２に記載の画像再生装置。
【請求項４】
前記画像送り指示を入力するための画像送りボタンを有し、
複数の画像が格納されている記憶媒体から画像を読み出す読み出し、画像送り指示の入力に応じて、前記読み出し手段により読み出した画像を表示手段に順次表示させる画像再生装置の制御方法であって、
一枚ずつ前記表示手段に画像を表示させる第１の表示モードで画像を順次表示させていく第１の表示制御工程と、
前記第１の表示モード中に前記画像送りボタンが長押しされたときは、複数枚数毎に前記表示手段に画像を表示させる第２の表示モードに切り替えて画像を順次表示させていく第２の表示制御工程と、
前記第２の表示制御工程で第２の表示モードに切り替えて表示したときは、前記第１の表示モードに切替えるための操作ガイダンスを表示させるガイダンス表示工程を有することを特徴とする画像再生装置の制御方法。
【請求項５】
前記第２の表示モードで表示された複数の画像の内の１つに枠を付けて表示させる枠表示工程を有し、
前記枠表示工程では、前記画像送りボタンが長押しされている間は、前記枠を表示させる画像を順次移動させ、前記枠を表示させることを特徴とする請求項４に記載の画像再生装置の制御方法。
【請求項６】
前記画像送りボタンの長押しが解除されたことに応じて、前記枠が付されている画像を、前記第２の表示モードで表示されている他の画像より大きく前記表示手段に表示させる第３の表示制御工程を有することを特徴とする請求項５に記載の画像再生装置の制御方法。
【発明の詳細な説明】
【技術分野】
【０００１】
本発明は、複数の画像が格納されている記憶媒体から画像を読み出す読み出し手段を有し、画像送り指示の入力に応じて、読み出し手段により読み出した画像を表示手段に順次表示させる画像再生装置およびその制御方法に関するものである。
【背景技術】
【０００２】
従来、メモリカード等の記憶媒体に記憶された画像を表示する場合は画像を表示画面をほぼいっぱいに使って１枚ずつ再生する通常再生がある。
【０００３】
また、複数の画像の縮小画像を表示装置内にならべて表示する一覧再生や、表示された画像に画像の属性情報を付随させて表示するものなどがあり、用途によって使い分けている。
【０００４】
その表示の切り換えは操作者がその都度、表示切り替えボタンを操作して切り換えていた。
【０００５】
また、送りボタンが押され続けると、記録媒体から読み出した画像を早送りで順次表示させ、送りボタンが離されたら通常表示に戻るという画像再生方法も考案されている。（特許文献１）
【特許文献１】特開２００２−３６９１２３号公報
【発明の開示】
【発明が解決しようとする課題】
【０００６】
しかしながら、上記従来例では通常再生の場合、所望の画像を探すための画像送りの際に一枚ずつ次々と画像データをすべて読み込み、表示処理をおこなうために処理に時間がかかってしまう。また、一枚ずつ表示表示させるので、複数の画像の中から所望の画像を選択するまでに時間がかかってしまう。さらに、所望の画像を見つけるまで画像送りのために何回も画像送り操作を行わなくてはならないという問題があった。
【０００７】
また、特許文献１のように、送りボタンが押され続けたときに、早送りで順次画像を表示させる。
【０００８】
送りボタンの画像の早送り一度に複数の画像の縮小画像を表示装置内にならべて一覧表示を行えば、所望の画像を探すまでの時間や操作が短縮できる。しかし、画像１枚に対して確認できる時間も短縮されるため、ユーザは所望の画像を見過ごしてしまう可能性があった。
【課題を解決するための手段】
【０００９】
このような課題を解決するため、本発明の画像再生装置は以下のうような構成を備える。
【００１０】
複数の画像が格納されている記憶媒体から画像を読み出す読み出し手段を有し、画像送り指示の入力に応じて、読み出し手段により読み出した画像を表示手段に順次表示させる画像再生装置であって、
画像送り指示を入力するための画像送りボタンと、
一枚ずつ表示手段に画像を表示させる第１の表示モード、または、複数枚数毎に表示手段に画像を表示させる第２の表示モードで画像を順次表示させていく表示制御手段とを有し、
第１の表示モード中に画像送りボタンが長押しされたときは、第２の表示モードに切り替えるモード切り換え手段と、
モード切り換え手段により第２の表示モードに切り替わったときは、第１の表示モードに切替えるための操作ガイダンスを表示させるガイダンス表示手段を有することを特徴とする。
【発明の効果】
【００１１】
以上説明したように、本発明によれば、
画像送りボタンが長押しされると、１枚の画像を表示させる第１の表示モードから複数の画像を表示させる第２の表示モードに自動的に切り換えるため、表示モード切り替えの操作が必要なく表示切り替えを簡単に行うことが可能となる。さらに、第２の表示モードでは複数の画像ごとに表示されるので、所望の画像を検索しやすくなる。
【００１２】
また、本発明では、画像送りボタンが長押しすることにより、自動的に第１の表示モードから第２の表示モードに切り替わるので、第２の表示モードから第１の表示モードへ切替えるための操作のガイダンスを表示させている。そのため、自動的に表示モードが切替えられた後に、ユーザに混乱を与えずに表示モードへ切替えるための操作方法を伝えることができる。
【発明を実施するための最良の形態】
【００１３】
（実施例１）
以下に図面を用いて本発明の実施例を説明する。
【００１４】
図１は本実施例の印刷装置の構成を表すブロック図である。
【００１５】
本実施例の印刷装置ではメモリカード等の記憶媒体から読み出した画像を再生し表示し、表示された画像の中から印刷する画像を選択することが可能である。また、読み出した画像を一枚ずつ、あるいは複数枚数毎に順次表示させる早送り表示機能を有している。
【００１６】
バス１０１は各ブロックを接続するバスでブロック間のデータのやり取りはバスを通して行われる。
【００１７】
メモリカード１０２はリムーバブルメモリで複数の画像データが記録されている。
【００１８】
ＩＯ制御部１０３はメモリカード１０２へのデータの読み書きを制御している。メモリカード１０２はバス１０１に直接接続できないのでＩＯ制御部１０３を通して各ブロックとデータのやり取りを行う。
【００１９】
表示画像選択部１０７はＩＯ制御部１０３を通してメモリカード１０２にアクセスし、画像の一覧を作成してメモリカード１０２内の画像を管理する。このとき各画像に対してメモリカード１０２内でユニークな識別番号（以下画像ＩＤ）を付加し，画像はこの画像ＩＤによって管理識別する。そして、ＬＣＤに表示させる画像を画像ＩＤに基づいて決定する。画像送り指示が入力された場合には、この画像ＩＤ順で画像をＬＣＤに表示させていく。
【００２０】
画像再生部１０６は、ＩＯ制御部１０３を通してメモリカード１０２から読み出し、デコード処理をおこなって表示できる形式にデータ変換した後に表示部１０８により画像を表示させる。
【００２１】
表示部１０８はＬＣＤであり、各ブロックからの表示要求に対応して表示画面を表示させる。
【００２２】
データ保持部１０９は各種データを一時的に保持する。各処理をおこなう上での作業用領域としても使用される。
【００２３】
印刷データ生成部１１０は各ブロックからの印刷要求に対応し，レイアウトデータ、画像データを印刷用のデータに変換する。印刷データはイエロー（Ｙ）、マゼンタ（Ｍ）、シアン（Ｃ）の３色から構成され用紙一枚分のサイズのＹ／Ｍ／Ｃ各色のデータを順次作成し，色ごとに印刷部１１１へデータを送信する。
【００２４】
印刷部１１１は印刷データ生成部１１０からのＹ／Ｍ／Ｃ各色の印刷データを受信し，印刷用紙に印刷をおこなう。
【００２５】
ＧＵＩ制御部１１５はユーザによるＧＵＩ操作部１１６のボタン操作を判定する。状況によりボタン操作の意味は変わってくるために状況に応じてボタン操作の意味を解釈し，必要な指示を各ブロックに対して発行する。
【００２６】
ＧＵＩ操作部１１６は図２に示すような操作部材で構成されている。操作内容はＧＵＩ制御部１１５に送られ、解釈される。
【００２７】
また、これらの各ブロックは、ＣＰＵ（不図示）によって制御される。ＣＰＵはプログラムメモリ（不図示）からプログラムコードを読み出し、プログラムに基づいて各ブロックの制御を行う。
【００２８】
図２は本実施例の印刷装置の操作部である。
【００２９】
操作パネル２０１上に各操作部材と表示装置（ＬＣＤ）が配置されている。
２０２は電源ボタンで、本システムの電源の入切に使用される。
２０３はＥＤＩＴボタンで、トリミング印刷や印刷設定の変更に使用される。
２０４はＤＩＳＰボタンで、画面表示の切り換えに使用される。
２０５はＣＲＥＡＴＩＶＥボタンで、印刷機能の選択に使用される。
２０６はＭＥＮＵボタンで、メニューの表示／非表示の切り換えや、前画面に戻るために使用される。
２０７は表示装置（ＬＣＤ）で、画像の表示、印刷設定画面の表示などに使用される。
２０８は拡大ボタンで、表示されている画像の拡大指示を入力したり，、画像表示モードの切り換えに使用される。
２０９は縮小ボタンで、拡大再生中の画像の拡大率を減少させたり表示モードの切り換えに使用される。
２１０は上ボタンで、画像の指定／解除、トリミング枠の移動、画像拡大表示中のビュー移動に使用される。
２１１は左ボタンで、表示画像を１つ前に戻したり、トリミング枠の移動、画像拡大表示中のビュー移動に使用される。
２１２は下ボタンで、画像の指定／解除、トリミング枠の移動、画像拡大表示中のビュー移動に使用される。
２１３は右ボタンで、表示画像を１つ先に進めたり、トリミング枠の移動、画像拡大表示中のビュー移動に使用される。
２１４はＳＥＴボタンで、各種選択項目の決定、次画面への切り換えなどに使用される。
２１５はＰＲＩＮＴボタンで、プリントの開始に使用される。
【００３０】
図３は本発明の印刷装置のＬＣＤの表示画面である。
【００３１】
図３（ａ）は通常表示モードで画像を表示させる場合のＬＣＤの表示画面を示している。
【００３２】
３０１は表示画面である。図２の２０７に相当する。
【００３３】
通常表示モードでは画像表示領域３０２をいっぱいに使って一枚の画像を表示する。このときの画像表示領域は表示画面３０１内に１つしかない。
【００３４】
図３（ａ）の通常表示モードで右ボタン２１３を押すと、画像再生部により次の画像が読み出され画像表示領域３０２に表示される。次の画像とは表示画像選択部１０７が管理しているシステム内画像リスト内で画像ＩＤか１つ大きなものをさす。
【００３５】
このようにして、右ボタンから画像送りの指示が入力されることによって、次の画像が順次表示されていく。
【００３６】
通常表示モードで左ボタン２１１を押すと前の画像が表示される。前の画像とは表示画像選択部１０７が管理しているシステム内画像リスト内で画像ＩＤか１つ小さなものをさす。
【００３７】
このようにして、左ボタンから画像戻しの指示が入力されることによって、前の画像が順次表示されていく。
【００３８】
通常表示モードにおいて、左ボタン２１１または右ボタン２１３を押すと表示される画像は変わる。しかし、画像表示モードは通常表示モードのまま変わらない。
【００３９】
図３（ｂ）は、マルチ表示モードで画像を表示させる場合のＬＣＤの標示画面を表している。
【００４０】
マルチ表示モードでは、表示画面３０１に縮小画像表示領域３０３を縦方向に３個、横方向に３個、計９個並べる。
【００４１】
この９個の縮小画像表示領域それぞれに１つずつ縮小画像が表示される。
【００４２】
メモリカード１０２に記憶されている画像データは、前半部に縮小画像データが格納され、後半部にオリジナルの画像データが格納されている。そのため縮小画像を表示するためには画像データをすべて読み込む必要はなく、前半部分だけを読み出して表示する。
【００４３】
３０４はフォーカス枠で、表示中のどの画像が現在選択されているかを示す。図３ではＩｍａｇｅＥが選択されている画像であることになる。
【００４４】
マルチ表示モードで右ボタン２１３を押すと次の画像へフォーカス枠が移動する。次の画像とは表示画像選択部１０７が管理しているシステム内画像リスト内で画像ＩＤか１つ大きなものをさす。また、マルチ表示モードでは、図３（ｃ）の矢印の順で画像が配置されている。そのため、右ボタン２１３を押していくと、フォーカス枠は、図３（ｃ）の矢印の方向に順次移動していく。
【００４５】
フォーカス枠が最下段右端のＩｍａｇｅＩにある場合、つまり、現在表示されている画像のうち画像ＩＤが一番大きい画像が選択されている場合に、右ボタン２１３が押されると、次の９個の縮小画像を表示させ、最上段左端にフォーカス枠が表示される。
【００４６】
このようにして、右ボタンから画像送りの指示が入力されることによって、次の画像が順次表示されていく。
【００４７】
また、マルチ表示モードにおいて左ボタン２１１を押すと、前の画像が表示される。前の画像とは表示画像選択部１０７が管理しているシステム内画像リスト内で画像ＩＤか１つ小さなものをさす。
【００４８】
右ボタンが押されるときとは逆方向にフォーカス枠が移動していく。
【００４９】
フォーカス枠が最上段左端（ＩｍａｇｅＡ）にあった場合に左ボタン２１１が押されると、前の９個の縮小画像を表示し、最下段右端（ＩｍａｇｅＩ）にフォーカス枠が表示される。
【００５０】
このようにして、左ボタンから画像戻しの指示が入力されることによって、前の画像が順次表示されていく。
【００５１】
左ボタン２１１、右ボタン２１３のどちらを押してもフォーカス枠は移動し、表示画像するが表示方法は一覧再生状態のまま変わらない。
【００５２】
通常表示モードとマルチ表示モードの切り換えは、基本的には、拡大ボタン２０８、縮小ボタン２０９でおこなう。
【００５３】
通常表示モードで縮小ボタン２０９を押すとマルチ表示モードになり、マルチ表示モードで拡大ボタン２０８を押すと通常表示モードに切り替わる。
【００５４】
また、マルチ表示モードにおいて表示されている複数の画像のうち、現在選択され、フォーカス枠が付されている画像は、他の画像よりも大きく表示されている。そのため、選択されている画像が目立ち、さらに画像を確認しやすくなっている。
【００５５】
図４は本実施例の印刷装置の通常表示モードにおいて右ボタン２１３により画像送り指示が入力されたときの画像表示処理の流れを示すフローチャートである。これらの処理はＣＰＵ（不図示）の制御のもとに行われ、ＣＰＵはプログラムメモリ（不図示）からプログラムを読み出し、読み出したプログラムに基づいてこれらの処理を行う。
【００５６】
４０１では、通常表示モードにおいて、画像送り指示が入力されたかを判断する。これは、右ボタン２１３が押されたことにより、ＧＵＩ制御部が画像送り指示が入力されたと判断する。
【００５７】
画像送り指示が入力されたときは、４０２に遷移する。画像送り指示が入力されていなければ、この処理は終了する。
【００５８】
４０２では、右ボタン２１３が長押しされているかを判断する。ボタンが押し続けられていて、長押しであると判断された場合は、４０４に遷移する。
【００５９】
長押しでなく、通常の画像送り指示である場合は、４０３に進む。
【００６０】
４０３において、画像選択部１０７が管理しているシステム内画像リスト内で画像ＩＤが現在表示されている画像より一つ大きな画像をＬＣＤの画像表示領域３０２に表示させる。この画像送り処理は、表示画像選択部およびＩＯ制御部による画像データの読み込み、画像再生部による画像データのデコード、表示部（ＬＣＤ画面）への画像の表示の各処理からなる。
【００６１】
４０４では、図３（ａ）の通常表示モードから図３（ｂ）のマルチ表示モードに切替える。マルチ表示モードに切替わるときには、切替える前に通常表示モードで表示されていた画像（現在選択されている画像）を含む複数枚の画像（本実施例では９枚）が表示画像として読み出される。表示画像の読み出しは、画像選択部１０７が管理しているシステム内の画像リスト順に読み出され、実際には縮小画像が読み出される。読み出された縮小画像は、画像選択部１０７が管理しているシステム内画像リスト順で９つの縮小画像表示領域３０３に配置され、表示される。画像が表示されると、モードを切替える前に選択されていた画像に対応する縮小画像にフォーカス枠を付けて表示させる。
【００６２】
４０５では、フォーカス枠を、次の画像に移動させて表示する。
【００６３】
４０６では、まだ右ボタンが押され続けているかを判断し、押され続けていると判断した場合は４０５へ進み、フォーカス枠をさらに次の縮小画像へ移動させる。右ボタンが押され続けている間は、フォーカス枠の移動が繰り返し行われる。
【００６４】
４０６で右ボタンが離されたと判断した場合は、現在選択されているフォーカス枠が表示されている縮小画像を、他の縮小画像より拡大して図３（ｄ）のように表示させる。他の画像より大きく表示させることで、選択されている画像を目立たせ、さらにユーザが画像の確認をしやすいようになっている。
【００６５】
ユーザはフォーカス枠により現在どの画像が選択されているかを確認できる。そして、フォーカス枠が所望の画像に近づいたときにボタンを離すとフォーカス枠の移動がとまる。１枚ずつ画像を切替える通常表示より、複数枚を一度に表示させ、フォーカス枠だけを移動させた方が、一枚あたり表示する時間を長くとることができるので、ユーザは所望の画像を見落とす可能性が少なくなる。
【００６６】
さらに、ボタンが離されたときは、表示画面３０１にガイダンス３０５をひょうじさせる。このガイダンスは、右ボタン長押しにより自動的に通常表示モードからマルチ表示モードに切り替わったため、マルチ表示モードから通常表示モードに切替えるための操作方法をユーザに知らせるためのガイダンスである。これにより、ユーザが知らずに自動的にマルチ表示モードが切替えられたとしても、ユーザを混乱させることなく通常表示モードに戻すことが可能となる。
【００６７】
本実施例では、画像送り時の表示モードの切り替えについて説明したが、画像戻しについても、画像送りと同様に表示の切り替えを行う。画像戻し処理では、通常表示モードでの画像表示順が逆になり、また、マルチ表示モードでのフォーカス枠の移動も逆方向に進むことになる。
【００６８】
（実施例２）
以下に図面を用いて本発明の第２の実施例を説明する。
【００６９】
基本的な構成は第１の実施例と同様である。
【００７０】
印刷装置の通常表示モードにおいて右ボタン２１３により画像送り指示が入力されたときの画像表示処理の流れを示すフローチャートである。
【００７１】
このフローチャートにおいて、図４のフローチャートと同じ処理を行うステップには同じ番号を付してある。
【００７２】
図４と異なる処理を行う部分を中心に説明する。
【００７３】
実施例１では４０２において右ボタンが長押しされていると判断したら、４０９に進む。
【００７４】
４０９では、現在選択されている（通常表示モードで表示されている）画像の画像データサイズまたは、その画像に対応する縮小画像の画像データサイズを取得する。
【００７５】
４１０では、取得した画像のデータサイズが規定値よりも大きいかどうか比較する。規定値は本実施例では２００Ｋバイトと規定している。規定値はシステムの構成により、記憶装置からのデータ読み出し能力や、読み出した画像データのデコード能力、表示速度などによって最適に決めるべきものであり、必ずしも２００Ｋバイトである必要はない。
【００７６】
取得した複数の画像データサイズが規定値よりも小さければ４０３へ進み、通常表示モードでの画像送り処理を行う。
【００７７】
取得した画像データのサイズが規定値よりも大きければ４０４へ進み、マルチ表示モードでの画像送り処理が行われる。
【００７８】
このように、第２の実施例では、表示される画像のデータサイズが大きい場合にマルチ表示を行うと、複数の画像の縮小処理を行い表示データを生成しなければならない。そこで、表示される画像のデータサイズが大きい場合には、画像の縮小処理の負荷が増大するため、送りボタンが長押しされてもマルチ表示モードにより複数画像の表示は行わず通常表示モードにより画像を表示させる。そのため、画像の縮小処理の負荷を軽減することができる。特に、多くの枚数の画像を表示させるマルチ表示モードでは、縮小処理を行わなければならない画像が多くなってしまうため、縮小処理の後に表示させると表示までに長い時間を要してしまう。そこで本実施例では、１枚の画像だけを表示させる通常表示を行う。
【００７９】
（その他の実施例）
以上、本発明をその好適な実施形態に基づいて詳述してきたが、本発明はこれら特定の実施形態に限られるものではなく、この発明の要旨を逸脱しない範囲の様々な形態も本発明に含まれる。例えば、デジタルカメラ、携帯端末等の画像再生装置に適応してもよい。
【００８０】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００８１】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００８２】
その場合、プログラムの機能を有していれば、オブジェクトコード、インタプリタにより実行されるプログラム、ＯＳに供給するスクリプトデータ等、プログラムの形態を問わない。
【００８３】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等が考えられる。また、光／光磁気記憶媒体、不揮発性の半導体メモリでもよい。
【００８４】
有線／無線通信を用いたプログラムの供給方法としては、次のような方法が考えられる。すなわち、コンピュータネットワーク上のサーバに本発明を形成するコンピュータプログラムそのもの、もしくはプログラムデータファイルを記憶し、接続のあったクライアントコンピュータにプログラムデータファイルをダウンロードするような方法である。
【００８５】
ここで、プログラムデータファイルは、本発明を形成するコンピュータプログラムを圧縮され自動インストール機能を含むファイル等も含む。
【００８６】
この場合、プログラムデータファイルを複数のセグメントファイルに分割し、セグメントファイルを異なるサーバに配置することも可能である。
【００８７】
つまり、本発明の機能処理をコンピュータで実現するためのプログラムデータファイルを複数のユーザに対してダウンロードさせるサーバ装置も本発明に含む。
【図面の簡単な説明】
【００８８】
【図１】本発明の実施例に係る印刷装置の構成を表すブロック図である。
【図２】本発明の実施例に係る印刷装置の操作部である。
【図３】本発明の実施例に係る印刷装置の表示画面である。
【図４】画像送り指示が入力されたときの画像表示処理の流れを示すフローチャートである。
【図５】画像送り指示が入力されたときの画像表示処理の流れを示すフローチャートである。
【符号の説明】
【００８９】
１０１  バス
１０２  メモリカード
１０３  ＩＯ制御部
１０６  画像再生部
１０７  表示画像選択部
１０８  表示部
１０９  データ保持部
１１０  印刷データ生成部
１１１  印刷部
１１５  ＧＵＩ制御部
１１６  ＧＵＩ操作部
２０１  操作パネル
２０２  電源ボタン
２０３  ＥＤＩＴボタン
２０４  ＤＩＳＰボタン
２０５  ＣＲＥＡＴＩＶＥボタン
２０６  ＭＥＮＵボタン
２０７  表示装置（ＬＣＤ）
２０８  拡大ボタン
２０９  縮小ボタン
２１０  上ボタン
２１１  左ボタン
２１２  下ボタン
２１３  右ボタン
２１４  ＳＥＴボタン
２１５  ＰＲＩＮＴボタン
３０１  表示画面
３０２  画像表示領域
３０３  縮小画像表示領域
３０４  フォーカス枠
３０５  ガイダンス
【図１】
2008052433.tif 000003
【図２】
2008052433.tif 000004
【図３】
2008052433.tif 000005
【図４】
2008052433.tif 000006
【図５】
2008052433.tif 000007